(57)【特許請求の範囲】
【請求項１】
スロットから挿入されるディスク媒体の情報を記録・再生するスロットイン式のディスク再生装置であって、
その回転駆動により、前記ディスク媒体をクランプ位置まで送り込む送りローラと、
前記ディスク媒体を前記送りローラとで狭持して、クランプ位置まで案内するディスクガイドと、
前記クランプ位置において前記ディスク媒体を保持するターンテーブルと、
前記ターンテーブルよりも高さ方向において前記ディスク媒体側に向かって突出する回転軸を有し、該回転軸の回転により前記ターンテーブルを回転駆動させるスピンドルモータと、
を備え、
前記回転軸の一端側は前記ディスク媒体の記録面に対して当接する可能性がある程度に近接した位置に存在し、
前記回転軸の一端側の形状を鋭角部を取り除いた曲面形状としたことを特徴とするディスク再生装置。
【請求項２】
前記ディスク媒体が傾いた状態で送り込まれて前記ディスク媒体の送り込み方向の角部が前記回転軸の一端側に当接した場合、前記回転軸の一端側は、前記ディスク媒体の記録面を摺動し、前記ディスク媒体の傾きを無くすよう補正する請求項１に記載のディスク再生装置。
【発明の詳細な説明】
【技術分野】
【０００１】
本発明は、ディスク再生装置に関する。
【背景技術】
【０００２】
ディスク再生装置には、落下等の衝撃を受けると、装置内に装着されたディスクと、ディスク面を再生／記録するピックアップの駆動機構を構成する部材とが衝突し、ディスク面に傷がつくという問題がある。この問題を解決するため、ディスク面の傷つきを防止する傷つき防止機構を備えたディスク再生機構が存在する（例えば、特許文献１を参照）。
【０００３】
特許文献１には、ターンテーブルに装着されたディスクの外周縁と対向する位置に、ディスク面側に向かって突出するディスク受け部を複数備えたディスク再生装置が開示されている。この特許文献１に開示されているディスク再生装置では、ピックアップおよびピックアップを駆動するための駆動機構とディスク面との隙間よりも、ディスク受け部とディスクとの間隔が狭くなるように、ディスク受け部が配置されている。
【０００４】
かかるディスク受け部を設けているため、ピックアップ駆動機構が衝撃により傾き、あるいはディスクが撓んだりすることによって、ディスクとピックアップとの距離が縮まっても、ディスク面はピックアップおよびその駆動機構と衝突せず、ディスク面に傷がつかない。
【０００５】
【特許文献１】特開２００４−２５９４０９号公報（図１〜３等）
【発明の開示】
【発明が解決しようとする課題】
【０００６】
しかしながら、特許文献１に開示されているディスク再生装置では、ディスク媒体をクランプし、ディスクを再生する場合、ディスク媒体とディスク受け部が干渉してしまう。したがって、ディスクを再生する場合、ディスク受け部をディスク媒体と干渉しない位置に移動させる必要がある。そのため、機構が複雑化し、コストが上昇してしまう。
【０００７】
また、図８に示すようなディスク受け部が設けられていないディスク再生装置６０では、ディスク媒体Ｄとピックアップ等との衝突を回避するためには、ディスク媒体Ｄが撓んだりしてもピックアップ等と接触することがないように、ディスク媒体Ｄとピックアップもしくはターンテーブル６２等との間にある程度のクリアランスＦを設ける必要がある。そのため、装置の高さ寸法が増大し、その結果、装置が大型化してしまう。
【０００８】
本発明は、かかる問題に鑑みてなされたものであり、その目的とするところは、装置の薄型化を図りつつ、ディスクに傷がつくことを防止でき、機構が単純でかつ安価なディスク再生装置を提供しようとするものである。
【課題を解決するための手段】
【０００９】
上記課題を解決するために、本発明は、スロットから挿入されるディスク媒体の情報を記録・再生するスロットイン式のディスク再生装置であって、その回転駆動により、ディスク媒体をクランプ位置まで送り込む送りローラと、ディスク媒体を送りローラとで狭持して、クランプ位置まで案内するディスクガイドと、クランプ位置においてディスク媒体を保持するターンテーブルと、ターンテーブルよりも高さ方向においてディスク媒体側に向かって突出する回転軸を有し、該回転軸の回転によりターンテーブルを回転駆動させるスピンドルモータと、を備え、回転軸の一端側はディスク媒体の記録面に対して当接する可能性がある程度に近接した位置に存在し、回転軸の一端側の形状を鋭角部を取り除いた曲面形状としたものである。
【００１０】
また、上述した構成に加えて、ディスク媒体が傾いた状態で送り込まれてディスク媒体の送り込み方向の角部が回転軸の一端側に当接した場合、前記回転軸の一端側は、ディスク媒体の記録面を摺動し、ディスク媒体の傾きを無くすよう補正することができる。
【発明の効果】
【００１１】
本発明によると、装置の薄型化を図りつつ、ディスクに傷がつくことを防止でき、機構が単純でかつ安価なディスク再生装置を提供することができる。
【発明を実施するための最良の形態】
【００１２】
以下、本発明の一実施の形態に係るディスク再生装置１０について、図面を参照しながら説明する。なお、モータユニット２３の構成はディスク再生装置１０の構成と共に説明する。また、以下の説明において、図１〜図６に示す矢示Ｘ１方向をローディング方向、矢示Ｘ２方向をイジェクト方向、このＸ１方向とＸ２方向と水平方向で直交する方向となる矢示Ｙ１方向を左方、矢示Ｙ２方向を右方、このＸＹ平面と直交する方向の矢示Ｚ１方向を上方および矢示Ｚ２方向を下方とそれぞれ規定する。
【００１３】
図１は、本発明の一実施の形態に係るディスク再生装置１０の外観斜視図である。
【００１４】
図１に示すように、ディスク再生装置１０は、ディスク媒体であるＣＤ−ＲＯＭ、ＤＶＤなどの光ディスクＡを記録・再生するスロットイン方式のディスク再生装置である。このディスク再生装置１０は略直方体形状の筐体１４を有しており、該筐体１４内に備えられている不図示の光学機構等によって、光ディスクＡに記録されている情報が読み取られ、記録または再生される。筐体１４には、光ディスクＡを挿入または排出するためのスロット１６が設けられている。スロット１６は矩形状の形態を有しており、その長手方向の口径は光ディスクＡの直径に対応するように形成されている。このスロット１６に挿入された光ディスクＡは後述するディスクガイド２０と送りローラ２２とで狭持されながら筐体１４の内部のクランプ位置まで送られる。なお、ディスク媒体として、光ディスクＡの代わりに磁気ディスク等の他の種類のディスク媒体を挿入するようにしても良い。
【００１５】
図２は、本発明の一実施の形態に係るディスク再生装置１０の構成を説明するための図であり、（Ａ）は、光ディスクＡの挿入時の状態を示す平面図であり、（Ｂ）は、装置１０の正面図である。図３は、本発明の一実施の形態に係るディスク再生装置１０に光ディスクＡを挿入した状態を説明するための側面図である。図４は、図３中のターンテーブル２４を備えたスピンドルモータ２６の拡大図である。
【００１６】
図２および図３に示すように、ディスク再生装置１０の筐体１４の内部には、スロット１６に挿入された光ディスクＡをクランプ位置まで案内するディスクガイド２０と、光ディスクＡをローディング方向もしくはイジェクト方向に送る送りローラ２２と、クランプ位置にて光ディスクＡを保持するターンテーブル２４と、ターンテーブル２４を回転自在に軸支するスピンドルモータ２６とを有する。なお、筐体１４内には、上述したように不図示の光学機構の他、該光学機構を駆動させる不図示の光学駆動機構等が配設されている。
【００１７】
ディスクガイド２０は、図３に示すように、送りローラ２２の上方に該送りローラ２２と対向するように配置されている。該ディスクガイド２０は不図示のシャーシに固定されており、送りローラ２２と対向する面は滑らかなディスクガイド面２０ａとなっている。
【００１８】
送りローラ２２は、ディスクガイド２０の下方にローディング方向およびイジェクト方向に向かって回転自在に軸支されている。また、該送りローラ２２は回転自在に軸支された状態で、不図示の付勢部材によって上方に向かって付勢されている。図２に示すように、送りローラ２２は、その直径が中央から左右方向外側に向かうにつれて大きくなるような柱形状を呈している。
【００１９】
図３に示すように、スロット１６に挿入された光ディスクＡはディスクガイド２０と送りローラ２２とで狭持され、該送りローラ２２の回転に伴いローディング方向またはイジェクト方向に送られる。ディスクガイド２０と送りローラ２２とで狭持された光ディスクＡはディスクガイド面２０ａと接触するため、光ディスクＡは略水平な状態に維持される。したがって、光ディスクＡは略水平な状態を維持しながらローディング方向またはイジェクト方向に移動する。
【００２０】
送りローラ２２のローディング方向側には、モータユニット２３が設けられている。モータユニット２３は、ターンテーブル２４と、スピンドルモータ２６を備えている。モータユニット２３は、不図示の固定部材によって筐体１４内の所定の位置に固定されている。スピンドルモータ２６は、略円柱状のハウジング２８を有していて、さらに、ハウジング２８の略中央から上方に突出する回転軸３０を有している。スピンドルモータ２６が駆動されると、回転軸３０はその中心軸線を中心として回転させられる。また、図４に示すように、回転軸３０の一端側となる一端側３１は表面が滑らかな略半球状の形態を有している。回転軸３０の一端側３１は、図８に示す従来例におけるターンテーブル６２のディスク媒体Ｄに対する位置と比較して、送りローラ２２によって水平な状態で送られてきた光ディスクＡの記録面Ａ１と近接した位置に存在する。すなわち、回転軸３０の一端側３１と光ディスクＡの記録面Ａ１との間には、図８に示す従来例のクリアランスＦよりも小さな寸法を有するクリアランスＣが形成される（図３参照）。なお、回転軸３０の材料として、例えば、金属を好適に用いることができるが、樹脂を用いるようにしても良い。
【００２１】
ターンテーブル２４はハウジング２８よりも大径の略円盤状の形態を有している。ターンテーブル２４の略中央には上下方向に貫通する断面円形状の円孔３２が形成されている。また、円孔３２の外周縁部には上下方向に向かって円筒状に突出した円筒壁３４が設けられている。また、図２（Ａ）および図４に示すように、ターンテーブル２４の上面２４ａからは上方に向かって円孔３２と略同心円状に形成された嵌合部３６が突出している。嵌合部３６は周方向に向かって等間隔に形成された６つの凸部３８を有する。図２（Ａ）に示すように、凸部３８は、上から見て略半楕円形状の形態をもって径方向外方に向かって突出している。ターンテーブル２４の上面２４ａには、クランプ位置において光ディスクＡが装着される。該光ディスクＡは中心穴Ａ２に嵌合部３６が嵌まった状態でターンテーブル２４に装着される。なお、ターンテーブル２４の材料として、例えば、樹脂または金属を好適に用いることができる。
【００２２】
このターンテーブル２４は、その中心軸線が回転軸３０の中心軸線と同軸となるように回転軸３０に固定されている。また、回転軸３０の先端はターンテーブル２４よりも上方に突出している。
【００２３】
次に、光ディスクＡをスロット１６に挿入した後、ターンテーブル２４に装着されるまでのディスク再生装置１０の動作について説明する。
【００２４】
図５は、クランパ４０によって、光ディスクＡがターンテーブル２４に位置決めされた状態を示す図である。図６は、光ディスクＡが傾いた状態で送られた場合の傾きの補正を説明するための図であり、（Ａ）は、光ディスクＡの角部近傍が回転軸３０の一端側３１と当接した状態を示す図であり、（Ｂ）は、光ディスクＡの角部近傍が回転軸３０の一端側３１との間で摺動し傾きが補正されている状態を示す図であり、（Ｃ）は、光ディスクＡの記録面Ａ１が回転軸３０の一端側３１と接触した状態でローディング方向に送られている状態を示す図である。
【００２５】
光ディスクＡをスロット１６に挿入すると、光ディスクＡはディスクガイド２０と送りローラ２２とに狭持され、送りローラ２２の回転によって光ディスクＡがローディング方向に送られる。光ディスクＡが略水平な状態でローディング方向に送られた場合、光ディスクＡは回転軸３０の一端側３１と接触することなく、クランプ位置まで到達する。その後、不図示のクランプ機構によって上下方向に移動可能なクランパ４０により、光ディスクＡが下方に向かって押圧される。その結果、光ディスクＡはターンテーブル２４に装着される。この状態では、図５に示すように、クランパ４０の略中央において上方に向かって窪んでいる凹部４２にターンテーブル２４から突出している回転軸３０の一端側３１が嵌まる。このため、光ディスクＡがターンテーブル２４とクランパ４０とによって狭持された状態となり、光ディスクＡの位置決めが確実になされる。また、光ディスクＡが装着されるに伴って、送りローラ２２は不図示の付勢部材の付勢力に抗して下方に向かって移動する。
【００２６】
一方、光ディスクＡのローディング方向の端部が略水平より若干下方に向かって傾いた状態でローディング方向に送られた場合、図６（Ａ）に示すように、光ディスクＡのローディング方向の角部近傍が回転軸３０の一端側３１に当接する。そして、図６（Ｂ）に示すように、光ディスクＡの角部近傍が該一端側３１との間で摺動しながら光ディスクＡの傾きがなくなるように（略水平な状態となるように）補正される。そして、光ディスクＡの記録面Ａ１と回転軸３０の一端側３１とが接触した状態で、光ディスクＡがクランプ位置まで送られる（図６（Ｃ）参照）。その後、上述したように、光ディスクＡがターンテーブル２４に装着される。
【００２７】
以上のように構成された、ディスク再生装置１０では、回転軸３０の一端側３１は、図８に示す従来例におけるターンテーブル６２のディスク媒体Ｄに対する位置と比較して、送りローラ２２によって略水平な状態で送られてきた光ディスクＡの記録面Ａ１と近接した位置に存在する。したがって、光ディスクＡが若干傾いた状態で送られてきた場合でも、光ディスクＡの傾きが回転軸３０の一端側３１によって略水平な状態に補正される。また、一端側３１の表面は滑らかな略半球状を呈している。このため、回転軸３０の一端側３１が記録面Ａ１と接触しても、記録面Ａ１に傷がつくことがない。したがって、記録面Ａ１を傷つけることなく、光ディスクＡを水平な状態でクランプ位置まで移動させることができる。
【００２８】
また、ディスク再生装置１０では、回転軸３０の一端側３１と記録面Ａ１とを近接させているため、従来のように、光ディスクＡとターンテーブル２４との間に両者が確実に接触しないだけのクリアランスを設ける必要がない。このため、ディスク再生装置１０の薄型化を図ることができる。また、回転軸３０によって光ディスクＡの傾きを補正しているため、光ディスクＡをクランプする場合、光ディスクＡと回転軸３０とが干渉することがない。したがって、傾きを補正する部材を別部材として設ける必要がなくなり、機構を単純化できると共にコストの低減を図ることが可能となる。
【００２９】
また、クランパ４０の凹部４２に回転軸３０の一端側３１を嵌め合わせることで、クランパ４０をターンテーブル２４に対して固定できるため、光ディスクＡをターンテーブル２４に位置決めした状態で確実に装着することが可能となる。
【００３０】
以上、本発明の一実施の形態について説明したが、本発明は上述の形態に限定されることなく、種々変形した形態にて実施可能である。
【００３１】
上述の実施の形態では、一端側３１が略半球状を呈した回転軸３０にターンテーブル２４を固定しているが、このような構成に限定されるものではなく、例えば、図７に示すように、例えば、一端側の端面が略平坦となっている回転軸３０Ａに円筒壁３４の上方に突出する部分を有さないターンテーブル２４Ａを装着し、回転軸３０Ａにおいて該ターンテーブル２４Ａより上方に突出する部分に、表面が滑らかな略半球形状を呈したキャップ５２を取り付けるようにしても良い。なお、キャップ５２は硬度が低い樹脂材から形成するのが好ましい。
【００３２】
また、上述の実施の形態では、回転軸３０の一端側３１の形状は略半球状を呈しているが、一端側３１の形状は略半球状に限定されるものではなく、例えば、椀形状等の表面が滑らかな鋭角部を有さない他の曲面形状としても良い。また、キャップ５２の表面も椀形状等の表面が滑らかな他の曲面形状としても良い。
【産業上の利用可能性】
【００３３】
本発明のディスク再生装置およびモータユニットは、ディスク媒体の情報を記録・再生するためのディスク再生機器もしくは当該機器を製造する産業において利用することができる。
【図面の簡単な説明】
【００３４】
【図１】本発明の一実施の形態に係るディスク再生装置の外観斜視図である。
【図２】本発明の一実施の形態に係るディスク再生装置の構成を説明するための図であり、（Ａ）は、光ディスクの挿入時の状態を示す平面図であり、（Ｂ）は、装置の正面図である。
【図３】本発明の一実施の形態に係るディスク再生装置に光ディスクを挿入している状態を説明するための側面図である。
【図４】図３中のターンテーブルを備えたスピンドルモータの拡大図である。
【図５】本発明の一実施の形態に係るディスク再生装置に備えられるクランパによって、光ディスクがターンテーブルに位置決めされた状態を示す図である。
【図６】本発明の一実施の形態に係るディスク再生装置において、光ディスクが傾いた状態で送られた場合の傾きの補正を説明するための図であり、（Ａ）は、光ディスクの角部近傍が先端部と当接した状態を示す図であり、（Ｂ）は、光ディスクの傾きが補正されている状態を示す図であり、（Ｃ）は、光ディスクの記録面が先端部と接触した状態でローディング方向に送られている状態を示す図である。
【図７】本発明のスピンドルモータの変形例を示す図である。
【図８】従来のディスク再生装置の概略図である。
【符号の説明】
【００３５】
１０…ディスク再生装置
１６…スロット
２０…ディスクガイド
２２…送りローラ
２３…モータユニット
２４，２４Ａ…ターンテーブル
２６…スピンドルモータ（モータ）
３０，３０Ａ…回転軸
３１…一端側
Ａ…光ディスク（ディスク媒体）
Ａ１…記録面
【図１】
0005136092.tif 000002
【図２】
0005136092.tif 000003
【図３】
0005136092.tif 000004
【図４】
0005136092.tif 000005
【図５】
0005136092.tif 000006
【図６】
0005136092.tif 000007
【図７】
0005136092.tif 000008
【図８】
0005136092.tif 000009